(57)【要約】【課題】建物床面に形成する床孔を大きくしすぎた場合には、管継手のフランジを床上面にビス止めすることが困難であった。【解決手段】床孔３０よりも大きな外径を有するとともに、床上面３０ａにビス止め可能なビス孔２３ａを有する取付補助具２０に管継手１０を固定し、ビス孔２３ａを用いて取付補助具２０を床上面３０ａにビス止めする。このため、建物床面に形成する床孔３０を大きくしすぎた場合であっても、床面に管継手を取り付けて床上配管と床下配管とを接続する際の作業性を向上させることができる。【選択図】  図４
2008039047.tif 000002
【特許請求の範囲】
【請求項１】
両側に配管接続部を有する概略円筒形状の本体と、該本体から外側に張り出す所定外径のフランジとを備える管継手を、該本体を建物床面に形成された床孔に挿通させつつ該建物床面に取り付けるための管継手の取付補助具であって、
前記床孔の径よりも大径で、中央に前記本体の外径よりも大径で前記フランジよりも小径の貫通孔を有するリング状部材で構成され、該フランジに固定可能であることを特徴とする管継手の取付補助具。
【請求項２】
前記管継手のフランジには、周方向に所定間隔でビス孔が形成されており、
前記ビス孔との対向位置には、軸線方向に位置決めピンが立設されている請求項１に記載の管継手の取付補助具。
【請求項３】
前記管継手のフランジ周縁との対向位置には、軸線方向に凸設されて先端内径側にくさび形状の係止構造を有し、該フランジ周縁を外周側からくわえ込んで該フランジを保持する複数のツメ部が形成されている請求項１または請求項２のいずれかに記載の管継手の取付補助具。
【請求項４】
前記管継手及び床孔を概略椀形状のカバー材で覆うにあたり、該カバー材の下端部を挿入可能な円形状の溝を備えることを特徴とする請求項１〜請求項３のいずれかに記載の管継手の取付補助具。
【請求項５】
両側に配管接続部を有する概略円筒形状の管継手を、建物床面に形成された床孔に挿通させつつ該建物床面に取り付けるための管継手の取付補助具であって、
前記床孔の径よりも大径で、中央に配管外径よりも大径の貫通孔を有するリング状本体部と、該貫通孔の周縁から軸線方向に凸設され、外周面に前記配管接続部への取付部が形成されるとともに、内周面に床上配管と接続するための床上配管接続部が形成される円筒部とを備えたことを特徴とする管継手の取付補助具。
【発明の詳細な説明】
【技術分野】
【０００１】
本発明は、所定の外径を有する概略円筒形状の管継手を床孔に挿入して取り付け、該管継手に床上配管と床下配管とを接続する際に用いる管継手の取付補助具に関する。
【背景技術】
【０００２】
通常、所定外径のフランジを有する管継手を建物内の床面に取り付けるにあたっては、該フランジ外径よりも小さく、かつ、管継手本体の外径よりも大きい床孔を形成し、床孔に管継手本体を挿入してフランジを床上面にビス止めしている。
このため、床孔の径をフランジ外径よりも大きくしてしまった場合には、フランジを床上面にビス止めすることができなかった。この種の対策として、特許文献１で開示される手法が知られている。該特許文献では、床立上部材を床下スラブに固定し、床付継手を床面ではなく、該床立上部材にネジ固定することで対処している。
【特許文献１】特開平８−２４７３４１号公報
【発明の開示】
【発明が解決しようとする課題】
【０００３】
上記特許文献１に開示された手法では、建物床面が既設の場合、床面への管継手の取付にあたり、床上作業と床下作業の両方が必要となるため、作業者は床下配管を床下スラブに固定した後、床上、すなわち、建物室内に移動して床上作業を行わなければならず、煩わしかった。
本発明は、上記課題にかんがみてなされたもので、床面に管継手を取り付けて床上配管と床下配管とを接続する際の作業性を向上させることが可能な管継手の取付補助具の提供を目的とする。
【課題を解決するための手段】
【０００４】
上記目的を達成するため、請求項１にかかる発明は、両側に配管接続部を有する概略円筒形状の本体と、該本体から外側に張り出す所定外径のフランジとを備える管継手を、該本体を建物床面に形成された床孔に挿通させつつ該建物床面に取り付けるための管継手の取付補助具であって、前記床孔の径よりも大径で、中央に前記本体の外径よりも大径で前記フランジよりも小径の貫通孔を有するリング状部材で構成され、該フランジに固定可能であるとしている。
【０００５】
上記のように構成した請求項１にかかる発明において、当該取付補助具には、前記管継手が固定される。すなわち、該取付補助具の中央には、該管継手の本体外径よりも大径の貫通孔が形成されているため、この貫通孔に該管継手の本体が挿通される。このとき、該貫通孔は、該管継手のフランジ外径よりも小径であるため、この貫通孔の周縁に該フランジが対向し、該取付補助具に対して該フランジが固定される。
【０００６】
該取付補助具の外径は、前記建物床面に形成された床孔の径よりも大径である。このため、該管継手の本体を該床孔に挿通させる際、該取付補助具が該床孔の周縁に対向し、該建物床面に対して該取付補助具が取り付けられる。
前記取付補助具は、建物床面に取り付ければ良いとの観点から、該建物床面に対する固定手法を限定するものではない。例えば、該建物床面にビス止めするものであっても良いし、接着可能な構造としても良い。
【０００７】
前記取付補助具に前記管継手を位置決めするための構成例として、請求項２にかかる発明は、請求項１に記載の管継手の取付補助具において、前記管継手のフランジには、周方向に所定間隔でビス孔が形成されており、前記ビス孔との対向位置には、軸線方向に位置決めピンが立設された構成としている。
【０００８】
上記のように構成した請求項２にかかる発明において、前記取付補助具には、軸線方向に位置決めピンが立設されており、前記管継手を該取付補助具の貫通孔に挿通させ、該管継手の外側に張り出すフランジを該貫通孔の周縁部位に対向させるとき、該フランジに周方向へ所定間隔で形成されたビス孔に該位置決めピンを挿入する。すると、該取付補助具に対して該管継手を位置決めすることができる。
【０００９】
なお、前記位置決めピンは、前述したように少なくとも前記管継手を位置決めすることができれば良いとの観点から、例えば、前記管継手の全てのビス孔との対向位置に設けても良いし、一つおきのビス孔との対向位置に設ける等しても良い。
本発明において、前記取付補助具は、前記管継手のフランジに対して固定できれば良いとの観点から、該フランジに対する固定手法を限定するものではない。例えば、該フランジに対してビス止めするものであっても良いし、該フランジとの間で互いを螺合可能なネジ構造を有するもの等であっても良い。
【００１０】
この固定手法の一例として、請求項３にかかる発明は、請求項１または請求項２のいずれかに記載の管継手の取付補助具において、前記管継手のフランジ周縁との対向位置には、軸線方向に凸設されて先端内径側にくさび形状の係止構造を有し、該フランジ周縁を外周側からくわえ込んで該フランジを保持する複数のツメ部が形成されている構成としている。
上記のように構成した請求項３にかかる発明において、前記取付補助具には複数のツメ部が形成されている。該ツメ部は、前記管継手のフランジ周縁と対向し、先端内径側に形成されたくさび形状の係止構造を該フランジ周縁に引っ掛け、該フランジ周縁を外周側からくわえ込んで、該取付補助具を該管継手に固定する。
【００１１】
前記取付補助具の構成例として、請求項４にかかる発明は、請求項１〜請求項３のいずれかに記載の管継手の取付補助具において、前記管継手及び床孔を概略椀形状のカバー材で覆うにあたり、該カバー材の下端部を挿入可能な円形状の溝を備える構成としている。
上記のように構成した請求項４にかかる発明において、前記取付補助具は、円形状の溝を備えており、前記管継手及び床孔を概略椀形状のカバー材で覆うにあたり、該カバー材の下端部を該円形状の溝に挿入する。すると、該取付補助具に対するカバー材の位置決めおよび取付作業が可能となる。
【００１２】
このとき、床上においては、該取付補助具の溝の外径側が該カバー材に覆われずに露出する。従って、少なくとも該取付補助具の溝の外径側については、必要に応じてメッキ加工する等、化粧面を形成しておくのが望ましい。この意味で、該取付補助具の素材としては、メッキ加工しやすい樹脂、例えば、ＡＢＳ樹脂などが好適である。
【００１３】
前記取付補助具の別の構成例として、請求項５にかかる発明は、両側に配管接続部を有する概略円筒形状の管継手を、建物床面に形成された床孔に挿通させつつ該建物床面に取り付けるための管継手の取付補助具であって、前記床孔の径よりも大径で、中央に配管外径よりも大径の貫通孔を有するリング状本体部と、該貫通孔の周縁から軸線方向に凸設され、外周面に前記配管接続部への取付部が形成されるとともに、内周面に床上配管と接続するための床上配管接続部が形成される円筒部とを備えた構成としている。
【００１４】
上記のように構成した請求項５にかかる発明において、当該取付補助具のリング状本体部に形成された貫通孔の周縁から軸線方向に凸設される円筒部には、外周面に取付部が形成されており、この取付部を該管継手の配管接続部に取り付ける。該管継手を前記床孔に挿通させつつ、該床孔の径よりも大径のリング状本体部を前記建物床面に取り付ける。該管継手の床上側では、該貫通孔を介して前記円筒部の内周面に設けられた床上配管接続部に床上配管が接続され、該管継手の床下側では、前記配管接続部に床下配管が接続される。
【００１５】
前記円筒部の外周面に設けられた取付部は、前記管継手の配管接続部に取付可能な構成を有していれば良いとの観点から、単に接着可能な構成としても良いし、該取付部と該配管接続部との間に螺合構造を形成する等しても良い。また、前記リング状本体部と前記建物床面との間の取付構造についても取付手法を限定する必要はなく、互いをビス止め可能としても良いし、接着可能とする等しても良い。
【発明の効果】
【００１６】
以上説明したように請求項１または請求項５は、床面に管継手を取り付けて床上配管と床下配管とを接続する際の作業性を向上させることが可能な管継手の取付補助具を提供することができる。
【００１７】
請求項２にかかる発明によれば、取付補助具に対する管継手の位置決め、取付作業を簡単化することができる。
請求項３にかかる発明によれば、取付補助具を管継手に固定する際の作業を簡単化することができる。
請求項４にかかる発明によれば、カバー材を採用する場合であっても、カバー材の取付構造を設けることで施工性の悪化を防ぐことができる。
【発明を実施するための最良の形態】
【００１８】
床面に管継手を取り付けて床上配管と床下配管とを接続する際の作業性を向上させることが可能な管継手の取付補助具を提供するという目的を、簡易な構成で実現した。
【実施例１】
【００１９】
以下、本発明の実施例１について説明する。
図１は、本発明の実施例１にかかる管継手の取付補助具を斜視図により示している。図２は、該取付補助具により床面に取り付けられる管継手を斜視図により示している。
図２において、管継手１０は塩化ビニル樹脂製である。この管継手１０は、約３３ｍｍの外径を有する概略円筒形状の本体１１と、本体１１の上端側から外側に張り出す外径約５４ｍｍのフランジ１２とを備えている。
【００２０】
本体１１の上端側には、床上配管を接続するためのネジ式受口構造（金属製）１１ａが設けられ、本体１１の下端側には、床下配管を接続するための受口構造１１ｂが設けられている。また、フランジ１２には、周方向に等間隔で６つのビス孔１２ａが形成されている。
図１において、管継手１０の取付補助具２０は、ＡＢＳ樹脂製であり、クロムメッキが施されている。取付補助具２０は、管継手１０を挿入する床孔３０よりも大径の約８０ｍｍの外径を有するとともに、中央に本体１１の外径３３ｍｍよりも大きな径で、かつ、フランジ１２の外径約５４ｍｍよりも小さな径（約３５ｍｍ）の貫通孔２０ａを有するリング状部材で構成される。
【００２１】
取付補助具２０は、中央側から外径側に向けて、管継手１０のフランジ１２を取り付けるためのフランジ取付部２１と、図６で後述するカバー材４０を取り付けるためのカバー材取付部２２と、図３で後述する床上面３０ａに取り付けるための床面取付部２３とを備えている。
【００２２】
フランジ取付部２１には、上面から上方に約４５ｍｍ径の位置で周方向へ等間隔に６本の位置決めピン２１ａが凸設されるとともに、この位置決めピン２１ａと周方向に互い違いとなるように、約５５ｍｍ径の位置で６つのツメ部２１ｂが等間隔で形成されている。各ツメ部２１ｂは、上面から上方に凸設されて先端内径側にくさび形状の係止構造２１ｂ１を有する。
カバー材取付部２２には、約６０ｍｍ径の位置に円形状の溝２２ａ（約２ｍｍ幅）が設けられている。
【００２３】
図３は、管継手１０を床孔３０に取り付ける際の状況を説明図により示している。
通常、建物床面には３５ｍｍ程度の径を有する床孔３０を形成し、管継手１０をフランジ１２が設けられていない下端側を床上から挿入する。すると、フランジ１２が床孔周囲の床上面３０ａに載置されるため、このフランジ１２に設けられたビス孔１２ａを利用してフランジ１２を床上面３０ａにビス止めする。このとき、管継手１０のネジ式受口構造１１ａに床上配管を接続し、受口構造１１ｂに床下構造を接続する。
【００２４】
しかし、形成する床孔３０を大きくしすぎた場合には、フランジ１２を床上面３０ａにビス止めすることが困難となる。例えば、フランジ１２のビス孔１２ａが配置された位置よりも大きな床孔３０を形成した場合には、ビス孔１２ａを用いてフランジ１２を床上面３０ａにビス止めすることができない。
そこで、本実施例にかかる取付補助具２０を用い、次の手順で管継手１０の床上面３０ａへの取付を可能にする。
【００２５】
図４は、取付補助具２０を用いて管継手１０を床上面３０ａに取り付ける際の状況を斜視図により示し、図５は、管継手１０を取付補助具２０に取り付けた状態を縦断面図により示している。
図４に示すように、管継手１０を取付補助具２０に取り付ける。すなわち、本体１１の下端側を上方から取付補助具２０の貫通孔２０ａに挿通させる。このとき、各ツメ部２１ｂの係止構造２１ｂ１がフランジ１２に下面に押し当てられる。フランジ１２を取付補助具２０の上面に対して押し付け続けると、各係止構造２１ｂ１はフランジ１２の外側に向けて撓みつつ、フランジ周縁を乗り越えてフランジ１２の上面まで移動し、図５に示すように、ツメ部２１ｂの先端に設けられた係止構造２１ｂ１がフランジ１２の周縁部位をくわえ込む。
【００２６】
その際、位置決めピン２１ａをフランジ１２のビス孔１２ａに対向させておくと、位置決めピン２１ａは下方からビス孔１２ａに挿入される。このため、各ツメ部２１ｂの係止構造２１ｂ１がフランジ１２の周縁をくわえ込む際、管継手１０のフランジ１２は、各位置決めピン２１ａによって同軸状態で位置決めされつつ、取付補助具２０に固定される。
また、管継手１０の本体１１を上方から床孔３０に挿入させつつ、管継手１０が取り付けられた取付補助具２０を床上面３０ａにビス止めする。
【００２７】
そして、床上配管５０をネジ式受口構造１１ａに接続するとともに、床下配管６０を受口構造１１ｂに接続し、図６および図７に示すように、椀形状のカバー材４０を床上側から取付補助具２０に取り付ける。このカバー材４０は、管継手１０のフランジ１２を覆い隠すことができる汎用品である。カバー材４０の下端部４０ａは、フランジ１２の外径よりもわずかに大きい約６０ｍｍの径を有する円形状となっており、カバー材取付部２２に設けられた円形状の溝２２ａに挿入され固定される。
【００２８】
このため、カバー材４０は床上配管５０と管継手１０との接続部および管継手１０のフランジ１２を覆い隠し、取付補助具２０の床面取付部２３は、カバー材４０の外側にはみ出すことになるが、床面取付部２３は、メッキ加工されているため、床上に露出しても外観を損ねることがない。このように床上に露出する化粧面をメッキ加工が容易な樹脂で構成できる点で、取付補助具２０の素材としてＡＢＳ樹脂は好適である。また、カバー材４０の下端部４０ａを収容可能な溝２２ａは、取付補助具２０の上面に対するカバー材４０の高さを抑えることができ、外観を向上させられる点で有用な構成である。
【実施例２】
【００２９】
以下、本発明の実施例２について説明する。
図８は、本発明の実施例２にかかる取付補助具７０を用いて管継手１０を床上面３０ａに取り付ける際の状況を斜視図により示している。
実施例２にかかる取付補助具７０は、実施例１と比較して、管継手１０のフランジ１２を取り付けるためのフランジ取付部７１の構成が異なるが、その他の構成は実施例１と同様である。
フランジ取付部７１には、上面から上方に約４５ｍｍ径の位置で周方向へ等間隔に３本の位置決めピン７１ａが凸設されるとともに、各位置決めピン７１ａの間にはビス孔７１ｂが形成されている。なお、実施例２の取付補助具７０には、ツメ部が設けられていない。
【００３０】
図８に示すように、管継手１０を取付補助具７０に取り付ける。すなわち、本体１１の下端側を上方から貫通孔７０ａに挿通させる。このとき、各位置決めピン７１ａが対向するフランジ１２のビス孔１２ａに下方から挿入される。すると、各ビス孔７１ｂがフランジ１２における残りのビス孔１２ａと対向するため、フランジ１２を取付補助具７０に対してビス止めし、管継手１０と取付補助具７０とを位置決めしつつ固定することができる。
【実施例３】
【００３１】
以下、本発明の実施例３について説明する。
図９は、本発明の実施例３にかかる取付補助具８０を用いて管継手９０を床上面３０ａに取り付ける際の状況を斜視図により示している。図１０は、取付作業後の状況を縦断面図により示している。
実施例３にかかる管継手９０は、フランジを有しない点で実施例１，２とは異なるが、その他の点は同様の構成である。
【００３２】
取付補助具８０は、本発明にいうリング状本体部の貫通孔８０ａの周縁から下方に円筒体８１が一体的に延設されており、この円筒体８１の外周面には、管継手９０のネジ式受口構造９１と螺合可能なネジ構造８１ａ（本発明にいう取付部）が設けられている。取付補助具８０のネジ構造８１ａを管継手９０のネジ式受口構造９１に対して螺合させることにより、取付補助具８０が管継手９０に固定される。取付補助具８０の床面取付部８２に設けられたビス孔８２ａを利用することにより、取付補助具８０は床上面３０ａにビス止めされる。なお、円筒体８１の内周面には、本発明にいう床上配管接続部として、床上配管５０の先端部と螺合可能なネジ構造が設けられている。
また、床上配管５０と床下配管６０とを管継手９０に接続するにあたり、実施例１，２と同様に、汎用品であるカバー材４０の下端部４０ａは、カバー材取付部８３に設けられた円形状の溝８３ａに取り付けられる。なお、実施例３にかかる取付補助具８０は、位置決めピンやツメ部を有しない点で実施例１，２と異なる。
【００３３】
以上のように、床孔３０よりも大きな外径を有するとともに、床上面３０ａにビス止め可能なビス孔２３ａを有する取付補助具２０に管継手１０を固定し、ビス孔２３ａを用いて取付補助具２０を床上面３０ａにビス止めする。このため、建物床面に形成する床孔３０を大きくしすぎた場合であっても、床面に管継手を取り付けて床上配管と床下配管とを接続する際の作業性を向上させることができる。
【図面の簡単な説明】
【００３４】
【図１】本発明の実施例１にかかる管継手の取付補助具を示す斜視図である。
【図２】取付補助具により床面に取り付けられる管継手を示す斜視図である。
【図３】管継手を床孔に取り付ける際の状況を示す説明図である。
【図４】取付補助具を用いて管継手を床上面に取り付ける際の状況を示す斜視図である。
【図５】管継手を取付補助具に取り付けた状態を示す縦断面図である。
【図６】カバー材を取付助補具に取り付ける際の状況を示す斜視図である。
【図７】管継手を床上面に取り付けた状態を示す縦断面図である。
【図８】本発明の実施例２にかかる取付補助具を用いて管継手を床上面に取り付ける際の状況を示す斜視図である。
【図９】本発明の実施例３にかかる取付補助具を用いて管継手を床上面に取り付ける際の状況を示す斜視図である。
【図１０】取付作業後の状況を示す縦断面図である。
【符号の説明】
【００３５】
１０    管継手
２０    取付補助具
２１    フランジ取付部
２２    カバー材取付部
２３    床面取付部
３０    床孔
【図１】
2008039047.tif 000003
【図２】
2008039047.tif 000004
【図３】
2008039047.tif 000005
【図４】
2008039047.tif 000006
【図５】
2008039047.tif 000007
【図６】
2008039047.tif 000008
【図７】
2008039047.tif 000009
【図８】
2008039047.tif 000010
【図９】
2008039047.tif 000011
【図１０】
2008039047.tif 000012